(57)【特許請求の範囲】
【請求項１】
電位差のある正負２つの電極（２３１，２３２）とケーシング（２１０）とを有し、前記電極（２３１，２３２）間で放電させるユニットである放電ユニット（２００）と、
前記放電ユニット（２００）が収納される本体（１００ａ）と、
を備え、
前記ケーシング（２１０）は、前記正極（２３１）を保持する第１部（２１１）と、前記負極（２３２）を保持する第２部（２１２）とを有し、
前記第１部（２１１）と前記第２部（２１２）とは、互いにヒンジ機構（２１３）で繋がれ、
前記正極（２３１）は、前記ヒンジ機構（２１３）が閉じた状態において前記負極（２３２）から放電に適切な距離に位置するように、前記第２部（２１２）が形成する空間まで突出しており、
前記放電ユニット（２００）は、前記ヒンジ機構（２１３）が閉じた状態で前記本体（１００ａ）から着脱可能である、
空気調和機（１００）。
【請求項２】
前記正極（２３１）は、イオン化線（２３１）であり、
前記負極（２３２）は、電極板（２３２）である、
請求項１に記載の空気調和機（１００）。
【請求項３】
前記イオン化線（２３１）は、Ｕ字状に構成され、
前記電極板（２３２）は、３つの対向する壁である右壁（２３２ａ）、中壁（２３２ｂ）、及び左壁（２３２ｃ）を形成するように構成され、
前記ヒンジ機構（２１３）が閉じた状態において前記イオン化線（２３１）は、前記中壁（２３２ｂ）を囲み、かつ、前記右壁（２３２ａ）及び前記左壁（２３２ｃ）の間に位置する、
請求項２に記載の空気調和機（１００）。
【請求項４】
前記右壁（２３２ａ）及び前記左壁（２３２ｃ）は、前記第２部（２１２）が形成する空間から突出していない、
請求項３に記載の空気調和機（１００）。
【発明の詳細な説明】
【技術分野】
【０００１】
本発明は、空気調和機に関する。
【背景技術】
【０００２】
近年、放電機能を有する空気調和機が利用されている。放電機能は、電位差のある正負２つの電極間で放電を発生させ、当該放電により、空気中に浮遊している比較的小さな塵埃を耐電させたり、殺菌効果を有する活性種とよばれる強酸化物を生成したり、或いは、空気中に放出するためのマイナスイオンを生成する機能を発揮する。
【０００３】
放電が発生する部分は、空気中に浮遊している塵埃が付着し、汚れやすい部分であり、定期的な清掃を必要とする。そこで、例えば、特許文献１（実開昭６３−６３１２９号公報）には、着脱可能なイオン化部を搭載した空気調和機が記載されている。当該イオン化部のケーシングは、ヒンジで繋がれた蓋を開けることにより、イオン化部の内部を清掃できるようになっている。また、特許文献２（特開２００２−７９１４０号公報）にも、ケーシングにヒンジで繋がれたカバーを開け、電極ユニットを本体から取り外すことにより、清掃が可能な空気調和機が記載されている。
【発明の概要】
【発明が解決しようとする課題】
【０００４】
しかし、特許文献１に記載の空気調和機では、イオン化部は、コンパクト性に欠け、また、対向する２つの電極を分離することができないようになっており、電極周りの汚れを取りにくいという問題がある。他方、特許文献２に記載の空気調和機では、負極である電極ユニットと、正極である放電電極が取り付けられたカバーとは、別々に分解しないと空気調和機から取り外せないので、比較的難易度の高い分解及組立作業を利用者に強いることになるという問題がある。したがって、コンパクトで、かつ、清掃を行い易い、放電ユニットを備えた空気調和機が、今でも切望されている。
【０００５】
そこで、本発明の課題は、コンパクトで、かつ、清掃を行い易い放電ユニットを備えた空気調和機を提供することにある。
【課題を解決するための手段】
【０００６】
本発明の第１観点に係る空気調和機は、放電ユニットと、本体と、を備える。放電ユニットは、電位差のある正負２つの電極とケーシングとを有し、電極間で放電させるユニットである。本体には、放電ユニットが収納される。ケーシングは、第１部と、第２部とを有する。第１部は、正極を保持する。第２部は、負極を保持する。第１部と第２部とは、互いにヒンジ機構で繋がれる。正極は、ヒンジ機構が閉じた状態において負極から放電に適切な距離に位置するように、第２部が形成する空間まで突出している。また、放電ユニットは、ヒンジ機構が閉じた状態で本体から着脱可能である。
【０００７】
本発明の第１観点に係る空気調和機では、放電ユニットのケーシングが、正極を保持する第１部と負極を保持する第２部に分かれており、第１部と第２部とは、ヒンジ機構で繋がれている。これにより、放電ユニットの清掃を行いやくすることができる。また、正極は、ヒンジ機構が閉じた状態において負極から放電に適切な距離に位置するように、第２部が形成する空間まで突出している。これにより、放電ユニットの電極を、コンパクトなケーシング内に納まるようにすることができる。したがって、本発明の第１観点に係る空気調和機では、コンパクトで、かつ、清掃を行い易い放電ユニットを備えた空気調和機を提供することができる。
【０００８】
本発明の第２観点に係る空気調和機は、第１観点に係る空気調和機であって、正極は、イオン化線である。負極は、電極板である。
【０００９】
本発明の第２観点に係る空気調和機では、放電ユニットのケーシングの第１部は、正極であるイオン化線を保持し、第２部は、負極である電極板を保持する。第１部と第２部とは、ヒンジ機構で繋がれている。したがって、本発明の第２観点に係る空気調和機では、コンパクトで、かつ、イオン化線及び電極板の清掃を行い易い放電ユニットを備えた空気調和機を提供することができる。
【００１０】
本発明の第３観点に係る空気調和機は、第２観点に係る空気調和機であって、イオン化線は、Ｕ字状に構成される。電極板は、３つの対向する壁である右壁、中壁、及び左壁を形成するように構成される。ヒンジ機構が閉じた状態においてイオン化線は、中壁を囲み、かつ、右壁及び左壁の間に位置する。
【００１１】
本発明の第３観点に係る空気調和機では、ヒンジ機構が閉じた状態において、Ｕ字状に構成されたイオン化線が、３つの対抗する壁を形成する電極板の右壁と中壁との間、及び中壁と左壁との間に位置するように構成されている。これにより、放電の発生する領域をなるべく減らさずに電極をコンパクトなケーシング内に収めることができる。したがって、電極の放電発生領域をなるべく減らさずに放電ユニットをコンパクト化することができる。
【００１２】
本発明の第４観点に係る空気調和機は、第３観点に係る空気調和機であって、右壁及び左壁は、第２部が形成する空間から突出していない。
【００１３】
本発明の第４観点に係る空気調和機では、放電ユニットのケーシングの第２部が保持する電極板の右壁及び左壁が、第２部が形成する空間から突出していないので、ヒンジ機構を閉じても、電極板が第１部に当たらない。これにより、放電ユニットの電極を、コンパクトなケーシング内に納まるようにすることができる。したがって、放電ユニットをコンパクト化することができる。
【発明の効果】
【００１４】
本発明の第１観点及に係る空気調和機では、コンパクトで、かつ、清掃を行い易い放電ユニットを備えた空気調和機を提供することができる。
【００１５】
本発明の第２観点に係る空気調和機では、コンパクトで、かつ、イオン化線及び電極板の清掃を行い易い放電ユニットを備えた空気調和機を提供することができる。
【００１６】
本発明の第３観点に係る空気調和機では、電極の放電発生領域をなるべく減らさずに放電ユニットをコンパクト化することができる。
【００１７】
本発明の第４観点に係る空気調和機では、放電ユニットをコンパクト化することができる。
【図面の簡単な説明】
【００１８】
【図１】本発明の１実施形態に係る空気清浄機の正面斜視図
【図２】本発明の１実施形態に係る空気清浄機の側面視図
【図３】本発明の１実施形態に係る空気清浄機における送風の経路を示す概念図
【図４】本発明の１実施形態に係る空気清浄機の分解図
【図５】放電ユニットの外観図
【図６】放電ユニットのケーシング見開き図
【図７】図６の放電ユニットのＶＩＩ−ＶＩＩ断面図
【図８】図５の放電ユニットのＶＩＩＩ−ＶＩＩＩ断面図
【図９】接点ユニットの正面斜視図
【発明を実施するための形態】
【００１９】
以下、図面を参照しながら、本発明の実施形態について説明する。なお、以下の実施形態は、本発明の具体例であって、本発明の技術的範囲を限定するものではない。
【００２０】
（１）空気調和機の概要構成
本発明の一実施形態に係る空気調和機は、空気清浄機１００である。空気清浄機１００は、本体１００ａと当該本体１００ａを覆う複数のケーシング部材から構成されている。本体１００ａには、後述する放電ユニット２００、フィルタ部３１０、加湿部３２０、シロッコファン３５０、及びストリーマ放電ユニット３４０等が収納されている。
【００２１】
（１−１）外観
図１は、当該空気清浄機１００の正面斜視における外観正面斜視図である。空気清浄機１００の正面は、ケーシング部材の１つである合成樹脂製の前パネル１０２に覆われている。正面の下方には、前パネル１０２に覆われていない部分があり、当該部分に下吸込口１１３が設けられている。図２は、空気清浄機１００の側面視における外観側面視図である。図２において、空気清浄機１００の側面の一部は、ケーシング部材の１つである合成樹脂製の側方吸込口形成部材１０３により覆われている。側方吸込口形成部材１０３には、空気を取り込む第１側方吸込口１１１が縦方向に延びるように形成されている。つまり、第１側方吸込口１１１は、縦の寸法の方が、横の寸法よりも大きい。また、図示されていないが、空気清浄機１００の反対側の側面の一部も同様に側方吸込口形成部材１０３により覆われている。側方吸込口形成部材１０３には、第１側方吸込口１１１に対向する位置に第２側方吸込口１１２が縦方向に延びるように形成されている。第２側方吸込口１１２の縦横の寸法は、第１側方吸込口１１１の寸法と同じである。以下、第１側方吸込口１１１及び第２側方吸込口１１２を指す場合は、側方吸込口１１０とし、側方吸込口１１０及び下吸込口１１３の全てを指す場合は、単に吸込口とする。
【００２２】
空気清浄機１００内に吸い込まれた空気が吹き出される吹出口１１４は、図１及び図４に示されているように空気清浄機１００の上面に設けられている。
【００２３】
なお、下吸込口１１３は、前パネル１０２に形成されていても良く、また、前パネル１０２と側方吸込口形成部材１０３とは、一体化された１つのケーシング部材であってもよい。
【００２４】
（１−２）空気の流れ
図３は、空気清浄機１００における塵埃の除去および分解の概念を説明するための概念図である。図３において、シロッコファン３５０によって吸込口から吹出口１１４に至る空気の流れ５０１が発生する。吸込口から吸込まれた室内空気は、フィルタ部３１０で塵埃や臭い成分などが取り除かれ、シロッコファン３５０から清浄な空気が吹き出される。
【００２５】
（２）詳細構成
（２−１）放電ユニット
図４は、空気清浄機１００から前パネル１０２等のケーシング部材の一部を取り外した分解図である。この図に示されているように、放電ユニット２００は、横よりも縦が長い筒状の形状をしており、第１側方吸込口１１１及び第２側方吸込口１１２の近傍に１つずつ、それぞれの側方吸込口１１０に沿って立てた状態で、着脱可能に設置されている。放電ユニット２００の縦横それぞれの寸法は、側方吸込口１１０の縦横それぞれの寸法よりも大きく、放電ユニット２００は側方吸込口形成部材１０３と、その間になるべく隙間ができないように接しているので、側方吸込口１１０から吸い込まれる空気は、全て放電ユニット２００を通るように構成されている。放電ユニット２００は、吸い込まれた空気の中に浮遊している比較的小さな塵埃を帯電させる。
【００２６】
以下、上或いは上端とは、放電ユニット２００が空気清浄機１００に縦に装着された状態における上或いは上端を指し、下或いは下端とは、同じく放電ユニット２００が空気清浄機１００に縦に装着された状態における下或いは下端を指すものとする。また、第１側方吸込口１１１の近傍に配置される放電ユニット２００を第１放電ユニット２０１とし、第２側方吸込口１１２の近傍に配置される放電ユニット２００を第２放電ユニット２０２とする。第１放電ユニット２０１と第２放電ユニット２０２とは、基本的に同じ構成を有するので、以下、第１放電ユニット２０１について説明し、第２放電ユニット２０２についての説明は省略する。
【００２７】
＜放電部＞
図５〜図８を参照しながら、第１放電ユニット２０１について説明する。なお、以下、上とは、第１放電ユニット２０１が空気清浄機１００に装着された状態での上であり、下とは、装着された状態での下である。
【００２８】
図５は、第１放電ユニット２０１の外観図である。第１放電ユニット２０１は、縦に長い筒状の形状をした合成樹脂製のケーシング２１０を有する。図６に示されているように、ケーシング２１０は、ケーシング第１部２１１及びケーシング第２部２１２の２つに縦に分かれており、ケーシング第１部２１１とケーシング第２部２１２とは、ヒンジ２１３で繋がれている。
【００２９】
ケーシング第１部２１１は、正負２つの電極のうちの正極であるタングステン製のイオン化線２３１を保持する。負極は、ケーシング第２部２１２により保持されている。負極は、ステンレス金属製の板状の電極（電極板２３２）である。
【００３０】
図７は、ヒンジ２１３を開いた状態での第１放電ユニット２０１の断面図である。ケーシング第１部２１１は、縦方向に長く、横断面が半円に近い形状をしている。ここで、当該略半円形状の凹湾曲面をケーシング第１部２１１の内側、当該略半円形状の凸湾曲面をケーシング第１部２１１の外側とする。また、外側から観た場合の左右をケーシング第１部２１１の左右とする。ケーシング第１部２１１の下端の近傍の内側には、ブリッジ２１７が設けられている。ブリッジ２１７は、図７に示されているように、ケーシング第１部２１１が形成する空間から外に突出した部材であり、その先端付近の両側にはそれぞれ、イオン化線２３１を嵌合するための窪みが形成されている。ケーシング第１部２１１の上端には、イオン化線２３１の一端が取り付けられている。イオン化線２３１は、ケーシング第１部２１１の上端から、下端近傍の上記ブリッジ２１７まで延びている。イオン化線２３１は、ブリッジ２１７の先端付近両側の窪みに嵌合し、当該先端を半周して、ケーシング第１部２１１の上端に向けて折り返す。イオン化線２３１は、ケーシング第１部２１１の上端まで延び、ケーシング第１部２１１の上端に戻ってきたイオン化線２３１の端は、ケーシング第１部２１１の上端に取り付けられている。すなわち、イオン化線２３１は、Ｕ字状に設置されている。
【００３１】
ケーシング第２部２１２は、縦方向に長く、図７に示されているように横断面が凹型形状をしている。ここで、当該凹型形状の凹面をケーシング第２部２１２の内側、当該凹型形状の凹面と反対側の面をケーシング第２部２１２の外側とする。また、外側から観た場合の左右をケーシング第２部２１２の左右とする。ケーシング第２部２１２の内側には、負極である電極板２３２が取り付けられている。電極板２３２は、ケーシング第２部２１２の長手方向に並行な３つの対向する壁を形成するように成形されている。ここで、説明の便宜上、当該３つの壁のうち、真ん中に位置する壁を中壁２３２ｂ、当該中壁２３２ｂの左右に位置する壁をそれぞれ左壁２３２ｃ、右壁２３２ａとする。左壁２３２ｃと右壁２３２ａは、ケーシング第２部２１２が形成する空間内に収まっている。一方、中壁２３２ｂは、当該空間から数ミリ程度外に出ている。なお、ケーシング第２部２１２の下端には、図６に示されているように、水抜き穴２１８が設けられており、ケーシング内に水が溜まらないようになっている。
【００３２】
図６に示すように、ヒンジ２１３は、ケーシング第１部２１１の左側と、ケーシング第２部２１２の右側とをつなぎとめている。ここで、右或いは左とは、ケーシング第１部及びケーシング第２部の外側から観た場合の右或いは左である（以下同様）。ケーシング第１部２１１とケーシング第２部２１２とを繋ぐヒンジ２１３を閉じると、図８に示すように、ケーシング第１部２１１の縁とケーシング第２部２１２の縁とが接するようになっている。ヒンジ２１３が閉じられた状態では、イオン化線２３１は、ケーシング第２部２１２により形成された空間に位置し、中壁２３２ｂをＵ字状に囲む。また、当該Ｕ字状のイオン化線２３１は、外側から左壁２３２ｃ及び右壁２３２ａに囲まれた状態になる。即ち、イオン化線２３１は、左壁２３２ｃと中壁２３２ｂとの間、及び中壁２３２ｂと右壁２３２ａとの間に位置し、それぞれの壁に並行な状態で、当該壁と放電に適切な一定の距離を保って位置する。
【００３３】
イオン化線２３１に高電圧を印加すると、当該２つの電極間に電位差が生じ、イオン化線２３１と電極板２３２とが対向している部位において、当該２つの電極間で１種のコロナ放電が生じる。当該放電が起こる部位を放電部と呼ぶ。
【００３４】
放電部を覆う部分（格子部２００ａ）では、ケーシング第１部２１１及びケーシング第２部２１２は、格子状になっている。また、ケーシング第１部２１１の当該格子部２００ａの外側は、図示しないがプレフィルタにより覆われている。吸い込まれた空気は、当該格子部２００ａからケーシング２１０内に入り込み、放電部を通過する。通過する空気中の塵埃は、放電により帯電する。
【００３５】
＜把持部＞
ケーシング第１部２１１及びケーシング第２部２１２のうち格子部２００ａの上に位置する部分は、把持部２００ｂと呼ばれる。把持部２００ｂにおいては、ケーシング第１部２１１及びケーシング第２部２１２は、格子状になっておらず、ケーシング第１部２１１は、手で掴みやすいように少し凹んでいる。即ち、ケーシング第１部２１１は、把持部２００ｂにおいて、その半円形状をした横断面の半径が、上記格子部２００ａよりも小さくなっている。把持部２００ｂは、側方吸込口形成部材１０３の外側から観た場合、側方吸込口形成部材１０３の後方に重なって位置しており、第１側方吸込口１１１から流入する空気に直接あたらない。このため、把持部２００ｂには、塵埃が付着しにくく、汚れにくくなっている。したがって、利用者は、把持部２００ｂを掴むことにより手を汚さずに第１放電ユニット２０１を着脱できるようになっている。
【００３６】
＜接点部＞
次に、図６を参照しながらイオン化線２３１及び電極板２３２からなる電極と高電圧電源を有する回路との接点について説明する。
【００３７】
ケーシング第１部２１１の上端からは、横断面がＴ字型に近い形状をした合成樹脂製の接点部材（以下、第１接点部材２１４とする）が突出している。第１接点部材２１４は、ケーシング第１部２１１の上端の縦方向の中心線よりも右よりに付いている。第１接点部材２１４は、本体２１４ａとフランジ部２１６ａとからなる。図６に示されているように、第１接点部材本体２１４ａの左側には、２つの板状突出部が設けられている。当該２つの突出部は、正極の接点端子（以下、第１接点端子２３３とする）であり、正極であるイオン化線２３１の両端それぞれからハーネスが当該各突出部のいずれか異なる１つの先まで延びている。第１接点部材本体２１４ａの右側は、板状のフランジ部２１６ａと接合している。フランジ部２１６ａの平面は、第１接点部材本体２１４ａの平面と略直角をなすように構成されている。即ち、第１接点部材本体２１４ａとフランジ部２１６ａが接合している部分の横断面は、Ｔ字型に近い形状になっている。
【００３８】
また、ケーシング第２部２１２の上端からは、横断面がＴ字型に近い形状をした合成樹脂製の接点部材（以下、第２接点部材２１５とする）が突出している。第２接点部材２１５は、ケーシング第２部２１２の上端の縦方向の中心線よりも左よりに付いている。第２接点部材２１５は、本体２１５ａとフランジ部２１６ｂとからなる。第２接点部材本体２１５ａの右端に沿って、負極である電極板２３２の一部が板状に延びており、負極の接点端子（以下、第２接点端子２３４とする）を形成している。第２接点部材本体２１５ａの左側は、板状のフランジ部２１６ｂと接合している。フランジ部２１６ｂの平面は、第２接点部材本体２１５ａの平面と略直角をなすように構成されている。即ち、第２接点部材本体２１５ａとフランジ部２１６ｂが接合している部分の横断面は、Ｔ字型に近い形状になっている。
【００３９】
なお、ケーシング第１部２１１とケーシング第２部２１２とを繋ぐヒンジ２１３が閉じると、第１接点部材２１４のフランジ部２１６ａと第２接点部材２１５のフランジ部２１６ｂとは、１つのフランジ２１６を形成する。
【００４０】
なお、上記第１接点端子２３３と第２接点端子２３４を合わせて接点部と呼ぶ。
【００４１】
＜第２放電ユニット＞
第２放電ユニット２０２は、次の点を除いては、第１放電ユニット２０１と同じ構成を有している。すなわち、ケーシング第１部２１１とケーシング第２部２１２とは、第２放電ユニット２０２では、第１放電ユニット２０１とは反対側（ケーシング第１部２１１の右側及びケーシング第２部２１２の左側）でヒンジ２１３により繋がれている。また、第１接点部材２１４及び第２接点部材２１５がついている位置も第１放電ユニット２０１とは、反対側（ケーシング第１部２１１の縦方向の中心線よりも左側、ケーシング第２部２１２の縦方向の中心線よりも右側）よりである。第１接点端子２３３は第１接点部材本体２１４ａの右側に突出している。第１接点部材２１４及び第２接点部材２１５のフランジ部２１６ａ、２１６ｂもそれぞれ第１接点部材本体２１４ａの左側及び第２接点部材本体２１５ａの右側に設けられている。
【００４２】
＜放電ユニットの装着＞
再び図４に戻ると、空気清浄機１００の本体の正面の上部には、接点ユニット３０１が配置されている。図９は、カバーを外した状態の接点ユニット３０１の正面斜視図である。接点ユニット３０１には、放電ユニット２００を高電圧電源に接続する回路を構成するハーネスが収納されている。接点ユニット３０１の前面には、縦スリット３０２が当該前面の左右両側に２つずつ計４つ設けられている。放電ユニット２００は、第１接点端子２３３及び第２接点端子２３４が、接点ユニット３０１の前面に設けられた各縦スリット３０２に挿入され、取り付けられる。当該縦スリット３０２内には、クリップ状のハーネス端子３０３が設けられている。第１接点端子２３３及び第２接点端子２３４が縦スリット３０２に挿入されると、当該ハーネス端子３０３に挟まれるようになっている。これにより、放電ユニット２００の電極、即ちイオン化線２３１及び電極板２３２が高電圧電源を含む回路と接続される。
【００４３】
なお、第１接点端子２３３及び第２接点端子２３４が、接点ユニット３０１の前面に設けられた縦スリット３０２に挿入され、放電ユニット２００が接点ユニット３０１に取り付けられた状態では、縦スリット３０２及び放電ユニット２００の第１接点端子２３３及び第２接点端子２３４は、放電ユニット２００のフランジ２１６により覆われる。
【００４４】
（２−２）他の構成要素
空気清浄機１００の他の構成要素を以下に説明する。
【００４５】
（２−２−１）フィルタ部
図３に示されているように、フィルタ部３１０は、プレフィルタ３１１とＨＥＰＡ（Ｈｉｇｈ  Ｅｆｆｉｃｉｅｎｃｙ  Ｐａｒｔｉｃｕｌａｔｅ  Ａｉｒ  Ｆｉｌｔｅｒ）フィルタ３１２と脱臭エレメント３１３とで構成されている。まず、プレフィルタ３１１によって大きな塵埃が取り除かれる。次に、ＨＥＰＡフィルタ３１２によってさらに微細な塵埃が取り除かれる。さらに、ＨＥＰＡフィルタ３１２を通過した空気は、活性炭などを含む脱臭エレメント３１３によってホルムアルデヒドや臭い成分などが分解され、或いは吸着される。
【００４６】
（２−２−２）ストリーマ放電ユニット
シロッコファン３５０から吹き出される空気のうちの一部が、図３に示す支流５０２としてストリーマ放電ユニット（図４及び図９において接点ユニット３０１に装着されている３４０）に送られる。この支流５０２がストリーマ放電ユニット３４０を通過するときに、ストリーマ放電によって活性種が供給される。活性種の供給された支流５０２は、複数の分流となって放出口３３１からプレフィルタ３１１の前に吹き出される。
【００４７】
複数の分流は、プレフィルタ３１１から吸い込まれる室内空気に合流してＨＥＰＡフィルタ３１２及び脱臭エレメント３１３にまで到達する。脱臭エレメント３１３にまで達する活性種によって消臭効果が高められる。
【００４８】
ストリーマ放電ユニット３４０は、正極であるタングステン製の針状の電極と、当該針状電極の近傍に位置し、当該電極に対向する板状の電極（対向電極）を有する。針状電極に高電圧を印加することによりプラズマ放電の一種であるストリーマ放電が発生する。当該放電発生の際に酸化分解力の高い活性種が生成される。
【００４９】
生成された活性種を含む空気は、図３に示すような２つの鉛直風通路部材３３０へ流入する。空気清浄機１００の第１側方吸込口１１１及び第２側方吸込口１１２は、上述のとおり鉛直方向に長い開口であるが、２つの鉛直風通路部材３３０は第１側方吸込口１１１及び第２側方吸込口１１２に沿って配置されている。各鉛直風通路部材３３０には、複数の放出口３３１が第１側方吸込口１１１及び第２側方吸込口１１２の鉛直方向に沿うように形成されている。鉛直風通路部材３３０へ流入した活性種を含む空気は、当該放出口３３１からフィルタ部３１０のプレフィルタ３１１の前に吹き出される。
【００５０】
（２−２−３）加湿部３２０
加湿部３２０は、加湿ロータ３２１や水トレイ３２２などを備えている。脱臭エレメント３１３を通過した空気は、加湿部３２０の加湿ロータ３２１を通過する。加湿ロータ３２１を空気が通過する際に、加湿ロータ３２１から空気中に水分が放出される。放出されることによって減少する水分を補うため、加湿ロータ３２１は、水トレイ３２２から水の供給を受ける。水トレイ３２２には、鉛直通風路部材３３０に設けられた上記放出口３３１の１つから活性種を含む空気が導入される。
【００５１】
（３）空気清浄動作
図３を参照しながら、空気清浄機１００による空気清浄作用について説明する。第１側方吸込口１１１及び第２側方吸込口１１２から吸い込まれた空気は、放電ユニット２００に到達する。そこで、放電ユニット２００のケーシング第１部２１１の外側に設けられたプレフィルタにより比較的大きなホコリや塵が空気中から除去される。次に、空気は放電ユニット２００の放電部を通過する。その際、空気に含まれる塵埃等がプラス電荷に帯電する。そして、空気は、フィルタ部３１０に到達する。他方、下吸込口１１３から吸い込まれた空気は、フィルタ部３１０に到達する。
【００５２】
フィルタ部３１０では、空気は先ず、プレフィルタ３１１を通過する。その際、比較的大きなホコリや塵が、プレフィルタ３１１により空気中から除去される。また、プレフィルタ３１１に含まれる光触媒とカテキンとの作用により、プレフィルタ３１１の繊維に付着した塵埃などに含まれるカビ菌や細菌などの菌やウィルスの繁殖が抑制されるとともに、ウィルスが不活化される。
【００５３】
プレフィルタ３１１を通った空気は、ＨＥＰＡフィルタ３１２を通過する。当該空気中の帯電した塵埃等は、ＨＥＰＡフィルタ３１２に吸着される。
【００５４】
ＨＥＰＡフィルタ３１２を通過した空気は、脱臭エレメント３１３を通過し、この際脱臭される。
【００５５】
その後、当該空気は、加湿部３２０の加湿ロータ３２１に到達する。空気は、加湿ロータ３２１を通過し、加湿される。
【００５６】
フィルタ部３１０及び加湿ロータ３２１を通過して清浄された空気は、吹出口１１４から室内へと吹き出される。また、清浄された空気の一部は、室内へと吹き出されることなく支流５０２となって、ストリーマ放電ユニット３４０へ導入される。
【００５７】
ストリーマ放電ユニット３４０におけるストリーマ放電により活性種が生成される。活性種を含む空気は、２つの鉛直通風路部材３３０内を通り、各鉛直通風路部材３３０に形成された複数の放出口３３１からプレフィルタ３１１の前に放出される。活性種を含む空気は、吸込空気と混ざり合ってプレフィルタ３１１及びＨＥＰＡフィルタ３１２に吸い込まれる。これらの活性種を含んだ空気は、ウィルスやカビ菌、細菌などを不活化または死滅させる。
【００５８】
（４）特徴
（４−１）
上記実施形態では、正極であるイオン化線２３１と負極である電極板２３２は、それぞれケーシング第１部２１１とケーシング第２部２１２とに別々に保持されており、ケーシング第１部２１１とケーシング第２部２１２とは、ヒンジ２１３で繋がれている。これにより、放電ユニット２００の清掃が行いやすくなっている。また、イオン化線２３１は、ケーシング第２部２１２が形成する空間に突出ており、ヒンジ２１３が閉じた状態において電極板２３２から放電に適切な距離に位置するようになっている。これにより、放電ユニット２００をコンパクトにすることができている。したがって、上記実施形態では、コンパクトで、かつ、清掃を行い易い放電ユニット２００を備えた空気清浄機１００を提供することができている。
【００５９】
（４−２）
上記実施形態では、コンパクトで、かつ、イオン化線２３１及び電極板２３２の清掃を行い易い放電ユニット２００を備えた空気清浄機１００を提供することができている。
【００６０】
（４−３）
上記実施形態では、ヒンジ２１３が閉じた状態において、Ｕ字状に構成されたイオン化線２３１が、３つの対抗する壁を形成する電極板２３２の右壁２３２ａと中壁２３２ｂとの間、及び中壁２３２ｂと左壁２３２ｃとの間に位置するように構成されている。これにより、放電の発生する領域をなるべく減らさずに電極をコンパクトなケーシング２１０内に収めることができている。したがって、電極の放電発生領域をなるべく減らさずに放電ユニット２００をコンパクト化することができている。
【００６１】
（４−４）
上記実施形態では、ケーシング第２部２１２が保持する電極板２３２の右壁２３２ａ及び左壁２３２ｃが、ケーシング第２部２１２が形成する空間から突出していないので、ヒンジ２１３を閉じても、電極板２３２がケーシング第１部２１１に当たらない。これにより、放電ユニット２００の電極を、コンパクトなケーシング２１０内に納まるようにすることができている。したがって、放電ユニット２００をコンパクト化することができている。
【００６２】
（５）変形例
（５−１）変形例１Ａ
上記実施形態では、空気調和機は、空気清浄機１００であった。しかし、他の実施形態においては、空気調和機は、ルームエアコン、業務用エアコン等、どのような空気調和機でも良い。
【００６３】
（５−２）変形例１Ｂ
上記実施形態では、放電ユニット２００は、電気集塵機能を発揮するものであった。しかし、他の実施形態においては、他の機能を発揮するものでも良い。例えば、放電ユニット２００は、ストリーマ放電ユニット３４０のようにストリーマ放電を発生させ、強酸化物である活性種を生成するものでもよい。また、マイナスイオンを生成するものでもよい。
【産業上の利用可能性】
【００６４】
本発明は、放電機能を搭載した空気調和機に利用可能である。
【符号の説明】
【００６５】
１００          空気清浄機（空気調和機）
２００          放電ユニット
２１０          ケーシング
２１１          ケーシング第１部（第１部）
２１２          ケーシング第２部（第２部）
２１３          ヒンジ
２３１          イオン化線（正電極）
２３２          電極板（負電極）
２３２ａ        右壁
２３２ｂ        中壁
２３２ｃ        左壁
【先行技術文献】
【特許文献】
【００６６】
【特許文献１】実開昭６３−６３１２９号公報
【特許文献２】特開２００２−７９１４０号公報
【図１】
0005617777.tif 000002
【図２】
0005617777.tif 000003
【図３】
0005617777.tif 000004
【図４】
0005617777.tif 000005
【図５】
0005617777.tif 000006
【図６】
0005617777.tif 000007
【図７】
0005617777.tif 000008
【図８】
0005617777.tif 000009
【図９】
0005617777.tif 000010